【手続補正書】
【提出日】平成28年2月2日(2016.2.2)
【手続補正１】
【補正対象書類名】特許請求の範囲
【補正対象項目名】全文
【補正方法】変更
【補正の内容】
【特許請求の範囲】
【請求項１】
デバイスであって、
複数の受信経路のうちの少なくとも１つにおいて信号を受信するための手段と、
電圧領域および電流領域のうちの少なくとも一方において前記複数の受信経路の各受信経路で受信された各信号を結合するための手段と
を備える、デバイス。
【請求項２】
前記少なくとも１つの受信経路の各受信経路が、低雑音増幅器、ＬＮＡ、とトランスコンダクタンス増幅器との間に結合された位相シフタを含む、請求項１に記載のデバイス。
【請求項３】
前記少なくとも１つの受信経路の各受信経路が、位相シフタと低雑音増幅器、ＬＮＡ、との間に結合されたトランスコンダクタンス増幅器を含む、請求項１に記載のデバイス。
【請求項４】
電圧領域および電流領域のうちの少なくとも一方において各受信経路からの各信号を結合するように構成される、請求項１に記載のデバイス。
【請求項５】
各受信経路の出力に結合された増幅器、および前記増幅器の出力に結合されたミキサをさらに備える、請求項１に記載のデバイス。
【請求項６】
デバイスであって、
信号を増幅するための手段と、
電圧領域および電流領域のうちの少なくとも一方において複数の送信経路のうちの少なくとも１つの送信経路に前記増幅された信号を伝達するための手段と
を備える、デバイス。
【請求項７】
前記少なくとも１つの送信経路の各送信経路が、電力増幅器と駆動増幅器との間に結合された位相シフタを含む、請求項６に記載のデバイス。
【請求項８】
前記少なくとも１つの送信経路の各送信経路が、位相シフタと電力増幅器との間に結合された駆動増幅器を含む、請求項６に記載のデバイス。
【請求項９】
前記デバイスは、電圧領域および電流領域のうちの少なくとも一方において前記少なくとも１つの送信経路の各送信経路に前記増幅された信号を伝達するように構成される、請求項６に記載のデバイス。
【請求項１０】
信号を前記増幅するための手段の入力に結合された出力を有するミキサをさらに備える、請求項６に記載のデバイス。
【請求項１１】
複数の受信経路のうちの少なくとも１つにおいて信号を受信することと、
電圧領域および電流領域のうちの少なくとも一方において前記複数の受信経路の各受信経路において受信された各信号を結合することと
を備える、方法。
【請求項１２】
信号を前記受信することが、低雑音増幅器、ＬＮＡ、とトランスコンダクタンス増幅器との間に結合された位相シフタを備える複数の受信経路のうちの少なくとも１つにおいて信号を受信することを備える、請求項１１に記載の方法。
【請求項１３】
信号を前記受信することが、低雑音増幅器、ＬＮＡ、と位相シフタとの間に結合されたトランスコンダクタンス増幅器を備える複数の受信経路のうちの少なくとも１つにおいて信号を受信することを備える、請求項１１に記載の方法。
【請求項１４】
結合された信号を増幅することをさらに備える、請求項１１に記載の方法。
【請求項１５】
信号を増幅することと、
電圧領域および電流領域のうちの少なくとも一方において複数の送信経路のうちの少なくとも１つの送信経路に前記増幅された信号を伝達することと
を備える、方法。
【手続補正２】
【補正対象書類名】明細書
【補正対象項目名】００３４
【補正方法】変更
【補正の内容】
【００３４】
[0043]開示する例示的な実施形態の前述の説明は、当業者が本発明を実施または使用できるようにするために提供したものである。これらの例示的な実施形態への様々な修正は当業者には容易に明らかであり、本明細書で定義した一般原理は、本発明の趣旨または範囲から逸脱することなく他の実施形態に適用され得る。したがって、本発明は、本明細書に示す例示的な実施形態に限定されるものではなく、本明細書で開示する原理および新規の特徴と一致する最も広い範囲を与えられるべきである。
以下に本願発明の当初の特許請求の範囲に記載された発明を付記する。
［Ｃ１］
デバイスであって、
少なくとも１つの受信経路と、
前記少なくとも１つの受信経路の各受信経路の出力に結合された増幅器とを備え、前記デバイスは、電圧領域および電流領域のうちの少なくとも一方において各受信経路からの各信号を処理するように構成される、
デバイス。
［Ｃ２］
前記少なくとも１つの受信経路の各受信経路が、低雑音増幅器（ＬＮＡ）とトランスコンダクタンス増幅器との間に結合された位相シフタを含む、Ｃ１に記載のデバイス。
［Ｃ３］
前記少なくとも１つの受信経路の各受信経路が、位相シフタと低雑音増幅器（ＬＮＡ）との間に結合されたトランスコンダクタンス増幅器を含む、Ｃ１に記載のデバイス。
［Ｃ４］
電圧領域および電流領域のうちの少なくとも一方において各受信経路からの各信号を結合するように構成される、Ｃ１に記載のデバイス。
［Ｃ５］
前記増幅器の出力に結合されたミキサをさらに備える、Ｃ６に記載のデバイス。
［Ｃ６］
デバイスであって、
増幅器と、
少なくとも１つの送信経路とを備え、各送信経路は前記増幅器の出力に結合され、前記デバイスは、電圧領域および電流領域のうちの少なくとも一方において信号を処理するように構成される、
デバイス。
［Ｃ７］
前記少なくとも１つの送信経路の各送信経路が、電力増幅器と駆動増幅器との間に結合された位相シフタを含む、Ｃ６に記載のデバイス。
［Ｃ８］
前記少なくとも１つの送信経路の各送信経路が、位相シフタと電力増幅器との間に結合された駆動増幅器を含む、Ｃ６に記載のデバイス。
［Ｃ９］
前記デバイスは、電圧領域および電流領域のうちの少なくとも一方において前記少なくとも１つの送信経路の各送信経路に増幅された信号を伝達するように構成される、Ｃ６に記載のデバイス。
［Ｃ１０］
前記増幅器の入力に結合された出力を有するミキサをさらに備える、Ｃ６に記載のデバイス。
［Ｃ１１］
複数の受信経路のうちの少なくとも１つにおいて信号を受信することと、
電圧領域および電流領域のうちの少なくとも一方において前記複数の受信経路の各受信経路において受信された各信号を結合することとを備える、方法。
［Ｃ１２］
信号を前記受信することが、低雑音増幅器（ＬＮＡ）とトランスコンダクタンス増幅器との間に結合された位相シフタを備える複数の受信経路のうちの少なくとも１つにおいて信号を受信することを備える、Ｃ１１に記載の方法。
［Ｃ１３］
信号を前記受信することが、低雑音増幅器（ＬＮＡ）と位相シフタとの間に結合されたトランスコンダクタンス増幅器を備える複数の受信経路のうちの少なくとも１つにおいて信号を受信することを備える、Ｃ１１に記載の方法。
［Ｃ１４］
結合された信号を増幅することをさらに備える、Ｃ１１に記載の方法。
［Ｃ１５］
信号を増幅することと、
電圧領域および電流領域のうちの少なくとも一方において複数の送信経路のうちの少なくとも１つの送信経路に増幅された信号を伝達することとを備える、方法。
［Ｃ１６］
前記少なくとも１つの送信経路に前記増幅された信号を前記伝達することが、駆動増幅器と電力増幅器との間に結合された位相シフタを含む前記少なくとも１つの送信経路に前記増幅された信号を伝達することを備える、Ｃ１５に記載の方法。
［Ｃ１７］
前記少なくとも１つの送信経路に前記増幅された信号を前記伝達することが、位相シフタと電力増幅器との間に結合された駆動増幅器を含む前記少なくとも１つの送信経路に前記増幅された信号を伝達することを備える、Ｃ１５に記載の方法。
［Ｃ１８］
前記信号を増幅する前に、前記信号を無線周波数にアップコンバートすることをさらに備える、Ｃ１５に記載の方法。
［Ｃ１９］
複数の受信経路のうちの少なくとも１つにおいて信号を受信するための手段と、
電圧領域および電流領域のうちの少なくとも一方において前記複数の受信経路の各受信経路において受信された各信号を結合するための手段と
を備える、デバイス。
［Ｃ２０］
信号を増幅するための手段と、
電圧領域および電流領域のうちの少なくとも一方において複数の送信経路のうちの少なくとも１つの送信経路に増幅された信号を伝達するための手段と
を備える、デバイス。